(57)【要約】【課題】計測対象流体の種類や組成が変化すると出力特性に変化を生じるフローセンサによっても、計測対象流体の流量を精度良く計測できるようにする。【解決手段】マイクロヒータ４が外部からの駆動電流により流体を加熱すると、マイクロヒータ４の加熱と並行して、上流側サーモパイル８は、マイクロヒータ４による加熱される前の流体の温度を検出し、第１の温度検出信号を出力し、下流側サーモパイル５は、マイクロヒータ４による加熱される前の流体の温度を検出し、第２の温度検出信号を出力し、これら両信号の差信号に基づき流量を算出するが、それに当たり、マイクロヒータ４に対して流体の流れ方向と略直交方向に配置された右側サーモパイル１１及び左側サーモパイル１３により流体の温度を検出し右側温度検出信号及び左側温度検出信号を出力させ、これに基づき算出される流体の物性値に基づき、算出された流量を補正できるようにする。【選択図】図１
2008046143.tif 000002
【特許請求の範囲】
【請求項１】
外部からの駆動電流により流路を流れる計測対象流体を加熱するヒータと、
このヒータから発生した熱が前記計測対象流体の流速の影響をほとんど受けずに前記計測対象流体の熱拡散効果のみによって伝達されるように、このヒータに対して前記計測対象流体の流れ方向と略直交方向に配置され、且つ、前記計測対象流体の温度を検出し、前記計測対象流体の物性値を算出するための温度検出信号を出力する横側温度センサと、
周辺部分が固定されたダイアフラム部を有し且つこのダイアフラム部に形成されている前記ヒータ及び前記横側温度センサを支持する支持基板と、
を備えることを特徴とする熱式流体センサ。
【請求項２】
前記横側温度センサは、前記計測対象流体の流れ方向と略直交して前記ヒータを通る略直線上に配置されていることを特徴とする請求項１記載の熱式流体センサ。
【請求項３】
外部からの駆動電流により流路を流れる計測対象流体を加熱するヒータと、
このヒータに対して前記計測対象流体の上流側に配置され、前記計測対象流体の温度を検出し、第１温度検出信号を出力する上流側温度センサと、
前記ヒータに対して前記計測対象流体の下流側に配置され、前記計測対象流体の温度を検出し、第２温度検出信号を出力する下流側温度センサと、
前記ヒータから発生した熱が前記計測対象流体の流速の影響をほとんど受けずに前記計測対象流体の熱拡散効果のみによって伝達されるように、前記ヒータに対して前記計測対象流体の流れ方向と略直交方向に配置され、且つ、前記計測対象流体の温度を検出し、前記計測対象流体の物性値を算出するための第３温度検出信号を出力する横側温度センサと、
周辺部分が固定されたダイアフラム部を有し且つこのダイアフラム部に形成されている前記ヒータ、前記上流側温度センサ、前記下流側温度センサ及び前記横側温度センサを支持する支持基板と、
を備えることを特徴とするフローセンサ。
【発明の詳細な説明】
【技術分野】
【０００１】
本発明は、流体の種類の判別に用いることができる熱式流体センサ、及び、流量計測として用いることができる流速センサ（以下、フローセンサと称する。）に関し、特に、計測対象流体の種類や組成が変化した場合あるいは流量の計測範囲が広い場合であっても、精度良く流体の流量を計測することができる熱式流体センサ及びフローセンサに関する。
【背景技術】
【０００２】
図９に従来の熱型のマイクロフローセンサの構成図を示す。マイクロフローセンサ１０１は、Ｓｉ基板１０２、ダイアフラム１０３、ダイアフラム１０３上に形成されたマイクロヒー夕１０４、マイクロヒータ１０４の下端でダイアフラム１０３上に形成された下流側サーモパイル１０５、マイクロヒータ１０４に駆動電流を供給する電源端子１０６Ａ，１０６Ｂ、マイクロヒータ１０４の上端でダイアフラム１０３上に形成された上流側サーモパイル１０８、上流側サーモパイル１０８から出力される第１温度検出信号を出力する第１出力端子１０９Ａ，１０９Ｂ、下流側サーモパイル１０５から出力される第２温度検出信号を出力する第２出力端子１０７Ａ，１０７Ｂを備える。
【０００３】
このように構成されたマイクロフローセンサ１０１によれば、外部からの駆動電流によりマイクロヒータ１０４が、マイクロヒータ１０４の回りに存在するガス等の計測対象流体を加熱して、マイクロヒータ１０４から下流側サーモパイル１０５にかけてと、マイクロヒータ１０４から上流側サーモパイル１０８にかけてとに、均等な温度分布を発生させる。
【０００４】
この状態で、ガス等の計測対象流体にＰからＱに向かう流れが生じると、マイクロヒータ１０４の回りの温度分布が計測対象流体の流れの下流側、即ち、下流側サーモパイル１０５に偏るので、上流側サーモパイル１０８は、計測対象流体に流れの発生していない流量＝０時よりも低い温度を検出し、その検出温度に応じた値の第１温度検出信号を出力する。
【０００５】
これに対し、下流側サーモパイル１０５は、マイクロヒータ１０４の回りの温度分布が下流側に偏る分だけ、計測対象流体に流れの発生していない流量＝０時よりも高い温度を検出し、その検出温度に応じた値の第２の温度検出信号を出力する。このため、図示しない流量計測装置は、上流側サーモパイル１０８からの第１温度検出信号と下流側サーモパイル１０５からの第２温度検出信号との差信号に基づいて計測対象流体の流量を算出することができる。
【発明の開示】
【発明が解決しようとする課題】
【０００６】
しかしながら、図９に示すような従来のマイクロフローセンサにあっては、計測対象流体（以下、流体と略称する。）の種類や流体の組成が変わると、その出力特性も変化してしまうという問題点があった。
【０００７】
すなわち、流体の種類や組成が変わると、熱伝導率や比熱、粘性、密度等の流体の物性値が変わるため、マイクロヒータで加熱された流体の温度分布が変化して、出力が変化してしまう。
【０００８】
そこで、このような問題点を解決するために、マイクロフローセンサとは別にガス分析センサを配置したり、あるいは、予め流体の特性値をマイクロフローセンサやそのマイクロフローセンサが搭載された装置に認識させておく等の方法が採用されている。
【０００９】
しかし、例えば、ガスメータにあっては、同じ規格のガスであってもロットにより原料ガスの組成が微妙に異なり、また、ガス生産工場で行う熱量コントロールのための組成調整の精度にも限界があるので、仮に規格が同じガスであってもその組成が変化してしまうことがあり、そのため、流体の特性値をマイクロフローセンサやその搭載装置に予め認識させておくには限界があった。
【００１０】
また、ガス分析センサを別に配置した場合には、ガスメータが大型化してしまうばかりではなく、流量の補正の方法等の工夫や、ガス分析センサの置き場所等を工夫しなければならない点が多く、安価にガスメータを作製することができなかった。
【００１１】
本発明は前記事情に鑑みなされたものであり、その目的は、計測対象流体の種類や組成が変化しても、計測対象流体の流量を小型で安価に精度良く計測することができるようにすることができる熱式流体センサ及びフローセンサを提供することにある。
【課題を解決するための手段】
【００１２】
前記目的を達成する請求項１及び請求項２に各々記載した本発明は熱式流体センサに関するものであり、請求項３に記載した本発明はフローセンサに関するものである。
【００１３】
そして、請求項１に記載した本発明の熱式流体センサは、外部からの駆動電流により流路を流れる計測対象流体を加熱するヒータと、このヒータから発生した熱が前記計測対象流体の流速の影響をほとんど受けずに前記計測対象流体の熱拡散効果のみによって伝達されるように、このヒータに対して前記計測対象流体の流れ方向と略直交方向に配置され、且つ、前記計測対象流体の温度を検出し、前記計測対象流体の物性値を算出するための温度検出信号を出力する横側温度センサと、周辺部分が固定されたダイアフラム部を有し且つこのダイアフラム部に形成されている前記ヒータ及び前記横側温度センサを支持する支持基板と、を備えることを特徴とする。
【００１４】
請求項１に記載した本発明の熱式流体センサによれば、支持基板に支持された状態でヒータは、外部からの駆動電流により計測対象流体を加熱する。このヒータの加熱と並行して、ヒータに対して計測対象流体の流れ方向と略直交方向に配置された横側温度センサは、計測対象流体の熱伝導度を検出し、温度検出信号を出力するので、この温度検出信号に基づき流体の物性値（温度分布のパラメータ）を算出することができる。また、ダイアフラム部上に、ヒータ及び横側温度センサを形成することにより、ヒータ、温度センサの熱容量を小さくして、消費電力を低減することができる。
【００１５】
請求項２に記載した本発明の熱式流体センサは、請求項１に記載した本発明の熱式流体センサにおいて、前記横側温度センサは、前記計測対象流体の流れ方向と略直交して前記ヒータを通る略直線上に配置されていることを特徴とする。
【００１６】
なお、熱式流体センサは、前記計測対象流体の流れ方向と略直交方向における前記ヒータの両側に前記横側温度センサを各々配置することもできる。このようにすれば、計測対象流体の熱伝導度の検出を、計測対象流体の流れ方向と略直交方向におけるヒータの両側に各々配置した２つの横側温度センサにより行うことで、流れ方向と略直交方向における流路内の計測対象流体の流れにばらつきがあっても、両横側温度センサからの温度検出信号に基づき流体の物性値を正確に算出することができる。
【００１７】
また、熱式流体センサは、横側温度センサをサーモパイルとすることで、温度検出信号の温度に依存する特性変化が小さくなり、正確な流量の計測がしやすくなる。また、自己発熱が発生しないので、補正する必要がない。また、自己起電力による出力信号なので、電流を消費しない。
【００１８】
さらに、熱式流体センサは、横側温度センサを焦電体とすることで、温度検出信号の出力に対する応答速度、感度が高くなり、流量の計測が迅速になる。また、自己起電力による出力信号なので、電流を消費しない。
【００１９】
請求項３に記載した本発明のフローセンサは、外部からの駆動電流により流路を流れる計測対象流体を加熱するヒータと、このヒータに対して前記計測対象流体の上流側に配置され、前記計測対象流体の温度を検出し、第１温度検出信号を出力する上流側温度センサと、前記ヒータに対して前記計測対象流体の下流側に配置され、前記計測対象流体の温度を検出し、第２温度検出信号を出力する下流側温度センサと、前記ヒータから発生した熱が前記計測対象流体の流速の影響をほとんど受けずに前記計測対象流体の熱拡散効果のみによって伝達されるように、前記ヒータに対して前記計測対象流体の流れ方向と略直交方向に配置され、且つ、前記計測対象流体の温度を検出し、前記計測対象流体の物性値を算出するための第３温度検出信号を出力する横側温度センサと、周辺部分が固定されたダイアフラム部を有し且つこのダイアフラム部に形成されている前記ヒータ、前記上流側温度センサ、前記下流側温度センサ及び前記横側温度センサを支持する支持基板と、を備えることを特徴とする。
【００２０】
請求項３に記載した本発明のフローセンサによれば、支持基板に支持された状態でヒータは、外部からの駆動電流により計測対象流体を加熱して、ヒータから下流側温度センサにかけてと、ヒータから上流側温度センサにかけてとに、均等な温度分布を発生させる。この状態で、計測対象流体に上流側温度センサから下流側温度センサに向かう流れが生じると、ヒータの回りの温度分布が計測対象流体の流れの下流側、即ち、下流側温度センサに偏るので、上流側温度センサは、計測対象流体に流れの発生していない流量＝０時よりも低い温度を検出し、その検出温度に応じた値の第１温度検出信号を出力する。
【００２１】
また、下流側温度センサは、ヒータの回りの温度分布が下流側に偏る分だけ、計測対象流体に流れの発生していない流量＝０時よりも高い温度を検出し、その検出温度に応じた値の第２の温度検出信号を出力するので、第１温度検出信号と第２温度検出信号との差信号に基づき流量を算出することができる。また、ヒータに対して計測対象流体の流れ方向と略直交方向に配置された横側温度センサは、計測対象流体の熱伝導度を検出し、第３温度検出信号を出力するので、この第３温度検出信号に基づき流体の物性値を算出することができる。
【００２２】
さらに、ダイアフラム部上に、ヒータ、上流側温度センサ、下流側温度センサ及び横側温度センサを形成することにより、ヒータ、温度センサの熱容量を小さくして、消費電力を低減することができる。
【００２３】
なお、フローセンサは、前記計測対象流体の流れ方向と略直交方向における前記ヒータの両側に前記横側温度センサを各々配置することができる。このようにすれば、計測対象流体の熱伝導度の検出を、計測対象流体の流れ方向と略直交方向におけるヒータの両側に各々配置した２つの横側温度センサにより行うことで、流れ方向と略直交方向における流路内の計測対象流体の流れにばらつきがあっても、両横側温度センサからの第３温度検出信号に基づき流体の物性値を正確に算出することができる。
【００２４】
また、フローセンサは、上流側温度センサ及び下流側温度センサをサーモパイルとすることで、第１温度検出信号と第２温度検出信号との差値の温度特性が小さくなり、正確な流量の計測がしやすくなる。また、自己発熱が発生しないので、補正する必要がない。また、自己起電力による出力信号なので、電流を消費しない。
【００２５】
さらに、フローセンサは、上流側温度センサ及び下流側温度センサを焦電体とすることで、第１温度検出信号や第２温度検出信号の出力に対する応答速度、感度が高くなり、流量の計測が迅速になる。また、自己起電力による出力信号なので、電流を消費しない。
【００２６】
また、フローセンサは、横側温度センサをサーモパイルとすることで、第３温度検出信号の温度特性が小さくなり、正確な流体の物性値の算出がしやすくなる。また、自己発熱が発生しないので、補正する必要がない。また、自己起電力による出力信号なので、電流を消費しない。
【００２７】
さらに、フローセンサは、横側温度センサを焦電体とすることで、第３温度検出信号の出力に対する応答速度、感度が高くなり、流量の計測が迅速になる。また、自己起電力による出力信号なので、電流を消費しない。
【発明の効果】
【００２８】
請求項１に記載した本発明の熱式流体センサによれば、支持基板に支持された状態でヒータは、外部からの駆動電流により計測対象流体を加熱する。このヒータの加熱と並行して、ヒータに対して計測対象流体の流れ方向と略直交方向に配置された横側温度センサは、計測対象流体の熱伝導度を検出し、温度検出信号を出力するので、この温度検出信号に基づき流体の物性値を算出することができる。また、ダイアフラム部上に、ヒータ及び横側温度センサを形成することにより、ヒータ、温度センサの熱容量を小さくして、消費電力を低減することができる。
【００２９】
請求項３に記載した本発明のフローセンサによれば、支持基板に支持された状態でヒータは、外部からの駆動電流により計測対象流体を加熱する。このヒータの加熱と並行して、上流側温度センサは、ヒータによる加熱される前の計測対象流体の温度を検出し、第１の温度検出信号を出力する。下流側温度センサは、ヒータによる加熱された後の計測対象流体の温度を検出し、第２の温度検出信号を出力するので、第１温度検出信号と第２温度検出信号との差信号に基づき流量を算出することができる。また、ヒータに対して計測対象流体の流れ方向と略直交方向に配置された横側温度センサは、計測対象流体の温度を検出し、第３温度検出信号を出力するので、この第３温度検出信号に基づき流体の物性値を算出することができる。また、ダイアフラム部上に、ヒータ、上流側温度センサ、下流側温度センサ及び横側温度センサを形成することにより、ヒータ、温度センサの熱容量を小さくして、消費電力を低減することができる。
【発明を実施するための最良の形態】
【００３０】
以下、本発明のフローセンサを用いた流量計測装置及びその方法の実施の形態を、本発明の熱式流体センサを用いた流体判別装置及びその方法の実施の形態と共に、図面を参照して詳細に説明する。
【００３１】
＜第１の実施の形態＞
図１は第１の実施の形態のマイクロフローセンサの構成図である。図２は第１の実施の形態のマイクロフローセンサの断面図である。
【００３２】
マイクロフローセンサ１は、Ｓｉ基板２、ダイアフラム３、ダイアフラム３上に形成された白金等からなるマイクロヒータ４、マイクロヒータ４の下流側でダイアフラム３上に形成された下流側サーモパイル５、マイクロヒータ４に図示しない電源から駆動電流を供給する電源端子６Ａ，６Ｂ、マイクロヒータ４の上流側でダイアフラム３上に形成された上流側サーモパイル８、上流側サーモパイル８から出力される第１温度検出信号を出力する第１出力端子９Ａ，９Ｂ、下流側サーモパイル５から出力される第２温度検出信号を出力する第２出力端子７Ａ，７Ｂ、を備える。
【００３３】
また、マイクロフローセンサ１は、マイクロヒータ４に対して流体の流れ方向（ＰからＱへの方向）と略直交方向に配置され、流体の物性値を検出し、右側温度検出信号（第３温度検出信号に対応）を出力する右側サーモパイル１１、この右側サーモパイル１１から出力される右側温度検出信号を出力する第３出力端子１２Ａ，１２Ｂ、マイクロヒータ４に対して流体の流れ方向と略直交方向に配置され、流体の物性値を検出し、左側温度検出信号（第３温度検出信号に対応）を出力する左側サーモパイル１３、この左側サーモパイル１３から出力される左側温度検出信号を出力する第４出力端子１４Ａ，１４Ｂと、流体温度を得るための抵抗１５，１６、この抵抗１５，１６からの流体温度信号を出力する出力端子１７Ａ，１７Ｂを備える。右側サーモパイル１１及び左側サーモパイル１３は、温度センサを構成する。
【００３４】
上流側サーモパイル８、下流側サーモパイル５、右側サーモパイル１１及び左側サーモパイル１３は、熱電対から構成されている。この熱電対は、ｐ++−Ｓｉ及びＡｌにより構成され、冷接点と温接点とを有し、熱を検出し、冷接点と温接点との温度差から熱起電力が発生することにより、温度検出信号を出力するようになっている。
【００３５】
また、図２に示すように、Ｓｉ基板２には、ダイアフラム３が形成されており、このダイアフラム３には、マイクロヒータ４、上流側サーモパイル８、下流側サーモパイル５、右側サーモパイル１１及び左側サーモパイル１３のそれぞれの温接点が形成されている。
【００３６】
このように構成されたマイクロフローセンサ１によれば、マイクロヒータ４が、外部からの駆動電流により加熱を開始すると、マイクロヒータ４から発生した熱は、流体を媒体として、下流側サーモパイル５と上流側サーモパイル８のそれぞれの温接点に伝達される。それぞれのサーモパイルの冷接点は、Ｓｉ基体（Ｓｉ基板）上にあるので、基体温度になっており、それぞれの温接点は、ダイアフラム上にあるので、伝達された熱により加熱され、Ｓｉ基体温度より温度が上昇する。そして、それぞれのサーモパイルは、温接点と冷接点の温度差より熱起電カを発生し、温度検出信号を出力する。
【００３７】
流体を媒体として伝達される熱は、流体の熱拡散効果とＰからＱに向かって流れる流体の流速との相乗効果によって、それぞれのサーモパイルに伝達される。すなわち、流速がない場合には、熱拡散によって上流側サーモパイル８と下流側サーモパイル５に均等に伝達され、上流側サーモパイル８からの第１温度検出信号と下流側サーモパイル５からの第２温度検出信号の差信号は、零になる。
【００３８】
一方、流体に流速が発生すると、流速によって下流側サーモパイル５の温接点に伝達される熱量が多くなり、前記第２温度検出信号と前記第１温度検出信号との差信号は流速に応じた正値になる。
【００３９】
一方、マイクロヒータ４が外部からの駆動電流により加熱を開始すると、マイクロヒータ４から発生した熱は、流体の流速の影響をほとんど受けずに流体の熱拡散効果のみによって、マイクロヒータ４に対して流体の流れ方向と略直交方向に配置された右側サーモパイル１１に伝達される。また、マイクロヒータ４に対して流体の流れ方向と略直交方向に配置された左側サーモパイル１３にも、同様な熱が伝達される。このため、右側サーモパイル１１の起電力により第３出力端子１２Ａ，１２Ｂから出力される右側温度検出信号、及び／または左側サーモパイル１３の起電力により第４出力端子１４Ａ，１４Ｂから出力される左側温度検出信号に基づき、熱伝導と熱拡散、比熱等によって決定される熱拡散定数等の流体の物性値を算出することができるようになる。
【００４０】
さらに、マイクロフローセンサ１によれば、ダイアフラム３上に、マイクロヒータ４、上流側サーモパイル８、下流側サーモパイル５、右側サーモパイル１１及び左側サーモパイル１３を形成したので、これらの熱容量を小さくして、消費電力を低減することができる。また、マイクロフローセンサ１の構成が簡単であるので、安価に作製することができるという効果がある。
【００４１】
次に、前述したマイクロフローセンサ１を用い、流体の種類や組成が変化した場合であっても、これに関係なく常に流体の流量を精度良く計測することができる流量計測装置について説明する。
【００４２】
図３は第１の実施の形態のマイクロフローセンサを用いた流量計測装置の構成ブロック図である。この流量計測装置は、例えば、ガス等の流体の流量を計測するものであり、マイクロフローセンサ１内の下流側サーモパイル５からの第２温度検出信号と、マイクロフローセンサ１内の上流側サーモパイル８からの第１温度検出信号との差信号を増幅する差動アンプ３３と、マイクロフローセンサ１内の右側サーモパイル１１からの右側温度検出信号を増幅するアンプ３５ａと、マイクロフローセンサ１内の左側サーモパイル１３からの左側温度検出信号を増幅するアンプ３５ｂと、マイクロコンピュータ４０とを備えて構成される。
【００４３】
マイクロコンピュータ４０は、アンプ３５ａからの右側温度検出信号とアンプ３５ｂからの左側温度検出信号とを加算する加算部４５と、差動アンプ３３で得られた第２温度検出信号と第１温度検出信号との差信号を加算部４５の出力する加算信号により除する除算部４７と、この除算部４７の出力する除算信号に基づき流体の流量を算出する流量算出部４１と、加算部４５の出力する加算信号に基づき流体の熱伝導率や比熱、粘性、密度等の物性値を算出する流体物性値算出部４３とを備えて構成される。
【００４４】
次に、図４に示すフローチャートを参照して、第１の実施の形態の流量計測装置により実現される流量計測方法を説明する。
【００４５】
まず、外部からのパルス信号による駆動電流によりマイクロヒータ４を加熱すると（ステップＳ１１）、下流側サーモパイル５から第２温度検出信号が出力され、上流側サーモパイル８から第１温度検出信号が出力される（ステップＳ１３）。第２温度検出信号は差動アンプ３３に出力され、第１温度検出信号は差動アンプ３３に出力される。なお、図５に第１温度検出信号及び第２温度検出信号のパルス信号に対する応答を示した。
【００４６】
次に、差動アンプ３３は、下流側サーモパイル５からの第２温度検出信号と上流側サーモパイル８からの第１温度検出信号との差信号を増幅する（ステップＳ１５）。
【００４７】
そして、加算部４５は、アンプ３５ａからの右側温度検出信号とアンプ３５ｂからの左側温度検出信号とを加算して加算信号を得る（ステップＳ１７）。図６に右側温度検出信号、左側温度検出信号及び加算信号のタイミングチャートを示した。次に、除算部４７は、ステップＳ１５で得られた増幅後の差信号をステップＳ１７で得られた加算信号で除して除算信号を得る（ステップＳ１９）。
【００４８】
続いて、流量算出部４１は、ステップＳ１９で得られた除算信号に基づき流体の正確な流量を算出する（ステップＳ２１）。さらに、流体物性値算出部４３は、ステップＳ１７で得られた加算信号とステップＳ２１で算出した流体の正確な流量に基づき、流体の熱伝導率や比熱、粘性、密度等の流体の物性値を算出する（ステップＳ２３）。
【００４９】
このように、流体の流れ方向に対して直交する方向に配置された右側サーモパイル１１及び左側サーモパイル１３が、流体の物性値を検出することにより、流体の熱伝導性を計測することになる。流体の流速が零であるときには、流体により熱の伝わる速度は、熱伝導率と熱拡散、比熱等によって決定される熱拡散定数（流体の物性値の一つ）による。流速が零であるときには、右側サーモパイル１１、左側サーモパイル１３とマイクロヒータ４との温度差によって熱拡散定数が求められる。この温度差が大きいほど熱拡散定数が小さい。
【００５０】
この熱拡散定数の大小は、上流側サーモパイル８が出力する第１温度検出信号と下流側サーモパイル５が出力する第２温度検出信号にも影響し、これらの値が熱拡散定数の大小に応じて変化する。したがって、原理的には、第１温度検出信号や第２温度検出信号を、あるいは、これらの差を、熱拡散定数によって除することで、熱拡散定数の異なる流体であっても、即ち、いかなる種類の流体であっても、正確な流量を算出することができることになる。
【００５１】
これに対して流量が零でないときには、流体の流れによって熱は下流に運ばれて、右側サーモパイル１１及び左側サーモパイル１３に到達する熱量は、それに伴って減少する。即ち、右側サーモパイル１１及び左側サーモパイル１３の回りの熱拡散が、流体の流れによって大きくなる。ここで、その熱拡散の増加率は流体の流速の平方根に比例することが一般に知られているため、原理的には、流体の熱拡散定数は、その流体の流量が何らかの方法で解りさえすれば、いかなる流量のときでも見積もることができることになる。
【００５２】
一方で、上流側サーモパイル８及び下流側サーモパイル５の回りでも、流体の流れによって右側サーモパイル１１及び左側サーモパイル１３の回りと同様な熱拡散の増加（マイクロヒータ４から移動する熱量の減少）が発生するので、流体の流量が大きくなると、それに伴う熱拡散の増加のために、下流側サーモパイル５の回りの流体の温度と上流側サーモパイル８の回りの流体の温度との差が小さくなる。
【００５３】
このため、本来ならば、流体の流速の増加に比例して大きくなるはずの、下流側サーモパイル５からの第２温度検出信号と上流側サーモパイル８からの第１温度検出信号との差信号が、熱拡散の増加の影響で小さくなり、流体の流量があまりに大きくなると、流速の増加による増加分を熱拡散の増加による減少分が上回って、流量が増加しているにも拘わらず第２温度検出信号と第１温度検出信号との差信号が減少してしまうこともある。
【００５４】
そこで、流量が零であるときの、右側サーモパイル１１が出力する右側温度検出信号と左側サーモパイル１３が出力する左側温度検出信号との加算値を「１」と考えて、これに対する、流量がある場合の右側温度検出信号と左側温度検出信号との加算値の比を、移動する熱量の変化率を表す係数と見倣し、この係数を、下流側サーモパイル５からの第２温度検出信号と上流側サーモパイル８からの第１温度検出信号との差信号に乗じる操作をする。
【００５５】
つまり、第２温度検出信号と第１温度検出信号との差信号を右側温度検出信号と左側温度検出信号との加算値で除することで、熱拡散の変化の影響を排除した流量算出が可能となり、正確で分解能の高い流量を求めることができるようになる。
【００５６】
なお、上述した実施形態では、差動アンプ３３から得られる下流側サーモパイル５からの第２温度検出信号と上流側サーモパイル８からの第１温度検出信号との増幅後の差信号を、除算部４７において、アンプ３５ａからの右側温度検出信号とアンプ３５ｂからの左側温度検出信号とを加算部４５で加算して得られる加算信号により除することで、熱拡散の変化の影響を排除した流量算出を可能としている。
【００５７】
そして、上述した実施形態では、除算部４７における除算信号の取得を流量算出部４１による流量の算出よりも先に行っているが、これは、第２温度検出信号と第１温度検出信号との増幅後の差信号に現れる熱拡散の変化の影響を排除するためには、流体の物性値を熱伝導率や比熱、粘性、密度といった厳密な精度の値として把握する必要がないためである。
【００５８】
即ち、上述した実施形態では、熱拡散の状態を高精度で把握しないと特定できない流体の熱伝導率や比熱、粘性、密度を、物性値として流体物性値算出部４３で算出するために、熱拡散の変化の影響を排除した流体の正確な流量を流量算出部４１により事前に算出しておいて、これを、流体物性値算出部４３による物性値の算出に反映させている。
【００５９】
しかし、物性値として流体物性値算出部４３で算出するファクタの種類によっては、流体物性値算出部４３による物性値の算出を事前に行っておいて、これと、差動アンプ３３からの、下流側サーモパイル５からの第２温度検出信号と上流側サーモパイル８からの第１温度検出信号との増幅された差信号とに基づいて、熱拡散の変化の影響を排除した流体の正確な流量を後から算出するようにしてもよい。
【００６０】
このように第１の実施の形態の流量計測装置によれば、マイクロヒータ４に対して流体の流れ方向と略直交方向に右側サーモパイル１１及び左側サーモパイル１３を配置し、右側温度検出信号及び左側温度検出信号を出力するように構成したので、流体の流れ方向の影響を受けずに、右側温度検出信号及び左側温度検出信号に基づき熱拡散定数等の流体の物性値を正確に算出することができる。
【００６１】
そして、算出された流体の物性値に基づき、流量算出部４１で算出された流体の流量を補正するようにしたので、特別な工夫をせずに、流体の種類や組成が変化した場合であっても、正確に流量を計測することができる。
【００６２】
また、マイクロフローセンサ１の出力を右側サーモパイル１１及び／または左側サーモパイル１３の出力で割った値を新たな出力とすることで、例えば、燃料ガスの微妙な成分の変化に対して、より簡単に流量−出力特性を流体成分に依存しないようにすることが十分にでき、正確に流量を計測することができる。
【００６３】
＜第２の実施の形態＞
次に、本発明のフローセンサを用いた流量計測装置及びその方法の第２の実施の形態の形態を、本発明の熱式流体センサを用いた流体判別装置及びその方法の第２の実施の形態と共に、図面を参照して詳細に説明する。図７は第２の実施の形態のマイクロフローセンサの構成図である。図８は第２の実施の形態のマイクロフローセンサを用いた流量計測装置の構成ブロック図である。
【００６４】
マイクロフローセンサ１ａは、Ｓｉ基板２、ダイアフラム３、マイクロヒータ４、下流側サーモパイル５、電源端子６Ａ，６Ｂ、第１出力端子７Ａ，７Ｂ、上流側サーモパイル８、第２出力端子９Ａ，９Ｂを備える。
【００６５】
また、マイクロフローセンサ１ａは、マイクロヒータ４に対して流体の流れ方向（ＰからＱへの方向）と略直交方向に配置され、流体の温度を検出し、右側温度検出信号を出力する右側測温抵抗２１、この右側測温抵抗２１から出力される右側温度検出信号を出力する第３出力端子１２Ａ，１２Ｂ、マイクロヒータ４に対して流体の流れ方向と略直交方向に配置され、流体の温度を検出し、左側温度検出信号を出力する左側測温抵抗２３、この左側測温抵抗２３から出力される左側温度検出信号を出力する第４出力端子１４Ａ，１４Ｂと、抵抗１５，１６、出力端子１７Ａ，１７Ｂを備える。右側測温抵抗２１及び左側測温抵抗２３は、温度センサを構成し、マイクロヒータ４と同様に白金等からなる。
【００６６】
このように、第２の実施の形態のマイクロフローセンサ１ａによれば、図１に示す第１の実施の形態の右側サーモパイル１１及び左側サーモパイル１３に代えて、右側測温抵抗２１及び左側測温抵抗２３を配置し、右側測温抵抗２１は、流体の温度を検出し、右側温度検出信号を第３出力端子１２Ａ，１２Ｂに出力する。また、マイクロヒータ４に対して流体の流れ方向と略直交方向に配置された左側測温抵抗２３は、流体の温度を検出し、左側温度検出信号を第４出力端子１４Ａ，１４Ｂに出力する。
【００６７】
このため、右側温度検出信号及び左側温度検出信号に基づき、熱伝導率と熱拡散、比熱等によって決定される熱拡散定数等の流体の物性値を算出することができるようになる。
【００６８】
また、このマイクロフローセンサ１ａを用いて流量を計測する流量計測装置は、図８に示すように、マイクロフローセンサ１ａ内の下流側サーモパイル５からの第２温度検出信号と、マイクロフローセンサ１ａ内の上流側サーモパイル８からの第１温度検出信号との差信号を増幅する差動アンプ３３と、マイクロフローセンサ１ａ内の右側測温抵抗２１及び左側測温抵抗２３を抵抗値の等しい２つの固定抵抗３８ａ，３８ｂにより対向させてブリッジ接続したブリッジ回路３９とを備えて構成される。
【００６９】
さらに、この流量計測装置は、ブリッジ回路３９の右側測温抵抗２１と固定抵抗３８ｂとの接続点、及び、左側測温抵抗２３と固定抵抗３８ａとの接続点間に定電圧を印加する定電圧源３７と、ブリッジ回路３９の右側測温抵抗２１と固定抵抗３８ａとの接続点Ａ、及び、左側測温抵抗２３と固定抵抗３８ｂとの接続点Ｂ間の電位を差動増幅する差動アンプ３６と、マイクロコンピュータ４０とを備えて構成される。マイクロコンピュータ４０は、除算部（又はパラメータ選定部）４９と、流量算出部４１と、流体物性値算出部４３とを備えて構成される。
【００７０】
このような構成の第２の実施の形態の流量計測装置によれば、右側測温抵抗２１の温度が上昇すると、右側測温抵抗２１及び固定抵抗３８ａの接続点Ａの電位が上がり、左側測温抵抗２３の温度が上昇すると、左側測温抵抗２３及び固定抵抗３８ｂの接続点Ｂの電位が上がる。そこで、接続点Ｂの電位から接続点Ａの電位を減じるように差動アンプ３６で差動増幅を行うと、右側測温抵抗２１からの右側温度検出信号と左側測温抵抗２３からの左側温度検出信号との加算値を増幅した増幅後の加算信号が差動アンプ３６で得られる。
【００７１】
そこで、除算部（又はパラメータ選定部）４９において、差動アンプ３３からの、下流側サーモパイル５からの第２温度検出信号と上流側サーモパイル８からの第１温度検出信号との増幅された差信号を、差動アンプ３６からの増幅後の加算信号により除して除算信号を得て、この除算信号に基づき流量算出部４１が流体の正確な流量を算出すると共に、この流量算出部４１が算出した流体の正確な流量と、差動アンプ３６からの増幅後の加算信号とに基づき、流体物性値算出部４３が、流体の熱伝導率や比熱、粘性、密度等の流体の物性値を算出する。
【００７２】
従って、特別な工夫をせずに、流体の種類や組成に依らずに正確に流量を計測することができ、第１の実施の形態の効果と同様な効果が得られる。
【００７３】
なお、本発明は第１の実施の形態及び第２の実施の形態のマイクロフローセンサ並びに流量計測装置及びその方法に限定されるものではない。第１の実施の形態では、温度センサとしてサーモパイルを例示し、第２の実施の形態では、温度センサとして白金抵抗等からなる測温抵抗を例示したが、これらに限定されるものではなく、温度センサとしては、例えば、焦電体、サーミスタ等、通常用いられる温度センサであれば何でもよい。
【００７４】
また、第１の実施の形態及び第２の実施の形態では、右側サーモパイル１１及び左側サーモパイル１３とマイクロヒータ４とからなる流体の物性値を検出するための熱式流体センサを、下流側サーモパイル５及び上流側サーモパイル８ととマイクロヒータ４とからなる流体の流速（流量）を計測するマイクロフローセンサ１，１ａに一体化した場合を例に取って説明したが、このマイクロフローセンサ１，１ａとは分離して、右側サーモパイル１１及び左側サーモパイル１３とマイクロヒータ４とからなる熱式流体センサを構成してもよい。
【００７５】
そして、そのように構成する場合、右側サーモパイル１１の起電力により第３出力端子１２Ａ，１２Ｂから出力される右側温度検出信号、及び／または左側サーモパイル１３の起電力により第４出力端子１４Ａ，１４Ｂから出力される左側温度検出信号に基づき、マイクロコンピュータ４０の流体物性値算出部４３により算出される流体の物性値から、さらにその流体の種類をマイクロコンピュータ４０で割り出すように構成してもよい。
【００７６】
また、第１の実施の形態の最後に説明したように、流体物性値算出部４３による物性値の算出を事前に行っておいて、これと、差動アンプ３３からの、下流側サーモパイル５からの第２温度検出信号と上流側サーモパイル８からの第１温度検出信号との増幅された差信号とに基づいて、熱拡散の変化の影響を排除した流体の正確な流量を後から算出するようにする場合には、マイクロコンピュータ４０で割り出した流体の種類に応じた補正係数を予め定めておき、この補正係数により、差動アンプ３３からの増幅された差信号を補正して流量を算出するように構成してもよい。
【００７７】
仮にそうすれば、流体の種類と補正係数等とをリンク付けたテーブルを、マイクロコンピュータ４０の内部メモリ（ＲＯＭ）やマイクロコンピュータ４０につながる外部メモリ（不揮発性が好ましい）に格納しておき、割り出した流体の種類に対応する補正係数等を内部メモリ（ＲＯＭ）または外部メモリから読み出して、差動アンプ３３からの増幅された差信号に乗じる等すれば、流量算出が完了するようになることから、処理上の負担を軽くすることができる。
【００７８】
また、流体物性値算出部４３による物性値の算出を事前に行い、熱拡散の変化の影響を排除した流体の正確な流量を後から算出するようにする場合、補正係数に代えて、流体の物性値やこの物性値から割り出される種類と、これら物性値又は種類に対応する、差動アンプ３３からの増幅された差信号から流体の流量を求めるのに用いる流量換算式とをリンク付けたテーブルを、マイクロコンピュータ４０の内部メモリ（ＲＯＭ）やマイクロコンピュータ４０につながる外部メモリ（不揮発性が好ましい）に格納しておくようにしてもよい。
【００７９】
さらに、下流側サーモパイル５からの第２温度検出信号と上流側サーモパイル８からの第１温度検出信号との差信号を増幅した差動アンプ３３の出力に基づき流量算出部４１で算出される流体の流量と、その流量に対応する右側サーモパイル１１や左側サーモパイル１３からの第３温度検出信号の基準値とをリンク付けたテーブルを、マイクロコンピュータ４０の内部メモリ（ＲＯＭ）やマイクロコンピュータ４０につながる外部メモリ（不揮発性が好ましい）に格納しておくようにしてもよい。
【００８０】
その場合には、マイクロコンピュータ４０の流体物性値算出部４３は、流量算出部４１で算出される流体の流量をアドレスポインタとして外部メモリから取り出した、その流量に対応する第３温度検出信号の基準値と、実際に右側サーモパイル１１や左側サーモパイル１３から取得される第３温度検出信号との比から、流体の物性値を算出することになる。
【００８１】
そして、この場合の流体の物性値の算出は、実際に右側サーモパイル１１や左側サーモパイル１３から取得される第３温度検出信号と、外部メモリから取り出される第３温度検出信号の基準値との比を、下流側サーモパイル５からの第２温度検出信号と上流側サーモパイル８からの第１温度検出信号との差信号を増幅した差動アンプ３３の出力に乗じることで、行うことができる。
【００８２】
また、第１の実施の形態及び第２の実施の形態では、流体の物性値を検出するための温度センサをマイクロヒータ４に対して右側と左側とに設けたが、例えば、温度センサをマイクロヒータ４に対して右側または左側の一方に設けて、流体の温度を検出して流体の物性値を算出してもよい。
【００８３】
そして、第１の実施の形態及び第２の実施の形態のように温度センサをマイクロヒータ４に対して右側と左側とに設ける場合は、それら両温度センサからの出力信号の平均値を、また、片方の温度センサのみを設ける場合にはその温度センサからの出力信号の値を、流体の物性値を検出する基とすればよい。
【００８４】
さらに、除算部４７による除算は、下流側サーモパイル５からの第２温度検出信号と上流側サーモパイル８からの第１温度検出信号との差信号を増幅した差動アンプ３３の出力の値に応じて、選択的に行ってもよい。
【００８５】
特に、本発明の発明者らが行った実験によれば、下流側サーモパイル５からの第２温度検出信号と上流側サーモパイル８からの第１温度検出信号は、比較的流量の低い領域では流量に比例して出力信号値が上昇するものの、比較低流量の高い領域では流量に比例して出力信号値が上昇せず、出力が飽和に向かう傾向がある。
【００８６】
そこで、出力信号値が流量に比例して上昇する比較的低流量の領域においては、下流側サーモパイル５からの第２温度検出信号と上流側サーモパイル８からの第１温度検出信号との差動アンプ３３により増幅された差信号を、そのまま流量信号として扱い、出力信号値が流量に比例して上昇せず鈍化する比較的高流量の領域においては、蒸散部４９において、下流側サーモパイル５からの第２温度検出信号と上流側サーモパイル８からの第１温度検出信号との差動アンプ３３により増幅された差信号を、右側サーモパイル１１や左側サーモパイル１３からの第３温度検出信号の平均値、或は、これらのうちどちらか片方の第３温度検出信号の値により除して、温度検出信号の飽和の影響を除去し、これを流量信号として扱うようにしてもよい。
【００８７】
仮にそのように構成すれば、出力の飽和により信頼性が低くなるため比較的高流量の領域での流量計測には利用できなかった、下流側サーモパイル５からの第２温度検出信号と上流側サーモパイル８からの第１温度検出信号との差動アンプ３３により増幅された差信号を、右側サーモパイル１１や左側サーモパイル１３からの第３温度検出信号の平均値、或は、これらのうちどちらか片方の第３温度検出信号の値と共に、比較的高流量の領域での流量計測に利用できるようにして、正確に流量を計測できる流量計測範囲（レンジ）を、従来の１００倍単位から１００００倍単位にまで拡大し、例えばガスメータにおける各種の漏洩状態を、１つのセンサにより検出できるようにすることができる。
【００８８】
このほか、本発明の技術的思想を逸脱しない範囲内で、種々変形して実施可能であるのは勿論である。
【図面の簡単な説明】
【００８９】
【図１】第１の実施の形態のマイクロフローセンサの構成図である。
【図２】第１の実施の形態のマイクロフローセンサの断面図である。
【図３】第１の実施の形態のマイクロフローセンサを用いた流量計測装置の構成プロック図である。
【図４】第１の実施の形態の流量計測装置により実現される流量計測方法を示すフローチャートである。
【図５】第１温度検出信号及び第２温度検出信号を示す図である。
【図６】右側温度検出信号及び左側温度検出信号を示す図である。
【図７】第２の実施の形態のマイクロフローセンサの構成図である。
【図８】第２の実施の形態のマイクロフローセンサを用いた流量計測装置の構成ブロック図である。
【図９】従来の熱型のマイクロフローセンサの構成図である。
【符号の説明】
【００９０】
１，１ａ  マイクロフローセンサ
２  Ｓｉ基板
３  ダイアフラム
４  マイクロヒータ
５  下流側サーモパイル
８  上流側サーモパイル
１１  右側サーモパイル
１３  左側サーモパイル
２１  右側測温抵抗
２３  左側測温抵抗
３３  差動アンプ
３５ａ，３５ｂ  アンプ
４０  マイクロコンピュータ
４１  流量算出部
４３  流体物性値算出部
４５  加算部
４７  除算部
【図１】
2008046143.tif 000003
【図２】
2008046143.tif 000004
【図３】
2008046143.tif 000005
【図４】
2008046143.tif 000006
【図５】
2008046143.tif 000007
【図６】
2008046143.tif 000008
【図７】
2008046143.tif 000009
【図８】
2008046143.tif 000010
【図９】
2008046143.tif 000011